(57)【要約】      （修正有）【課題】橋梁の周囲を高輝度に、且つ優雅に照らし出すことにより、夜間における安全性向上と共に、太陽電池を用いることで電力コストを不要にする光学光源体橋梁燈を提供する。【解決手段】橋梁部分に装着される橋梁燈であって、橋梁燈に、電源装置により発光する、発光面となる前面、前面に対向した後面、前面と後面とを接続する光伝送部、後面の一部から前面方向に沿って光伝送部の内部に先端部が位置する凹部を有する光学媒体と、凹部に収納され、表方向に出る光が主に凹部の先端部に入射し、同時に裏方向にも発光するように構成された両面発光構造の半導体発光素子と、凹部の側壁部を介して入射した半導体発光素子の裏方向の発光を反射する背面鏡からなる発光体を装着し、発光体の光学媒体に色彩を施した。電源装置を太陽電池、商用電源、電気二重層キャパシタとし、電源装置に発光体を点滅させる点滅装置を備えた。【選択図】図１
2009054558.tif 000002
【特許請求の範囲】
【請求項１】
橋梁部分に装着される橋梁燈であって、該橋梁燈に、電源装置により発光する、発光面となる前面、前記前面に対向した後面、前記前面と前記後面とを接続する光伝送部、前記後面の一部から前記前面方向に沿って前記光伝送部の内部に先端部が位置するように形成された凹部とを有する光学媒体と、前記凹部に収納され、表方向に出る光が主に前記凹部の先端部に入射し、同時に裏方向にも発光するように構成された両面発光構造の半導体発光素子と、前記凹部の側壁部を介して入射した前記半導体発光素子の前記裏方向の発光を反射するように前記発光媒体の後面に配設された背面鏡とからなる発光体を装着したことを特徴とする光学光源体橋梁燈。
【請求項２】
前記発光体の光学媒体に色彩を施した請求項１記載の光学光源体橋梁燈。
【請求項３】
前記電源装置を太陽電池装置とした請求項１または２記載の光学光源体橋梁燈。
【請求項４】
前記電源装置を商用電源とした請求項１または２記載の光学光源体橋梁燈。
【請求項５】
前記電源装置を電気二重層キャパシタとした請求項１または２記載の光学光源体橋梁燈。
【請求項６】
前記電源装置に発光体を点滅させる点滅装置を備えた請求項１乃至５のうちいずれか１記載に記載の光学光源体橋梁燈。
【発明の詳細な説明】
【技術分野】
【０００１】  本発明は、川や谷、また海上に設置されている橋梁に装着される橋梁燈であって、特に、橋梁の周囲を少ない電力で高輝度に、且つ優雅に照らし出すことができる光学光源体橋梁燈に関する。
【背景技術】
【０００２】  通常、人や自動車が谷や川、また海の上を乗り越えるため、さまざまな種類の橋梁が設置されている。代表的な橋梁の種類としては、斜張橋、吊橋、アーチ橋、トラス橋、ループ橋等の橋があり、構築する場所や利用目的等によりさまざまに使い分けされている。【０００３】  また特に、橋梁下を航行する船等に対し、安全水路を示すため、橋梁または橋脚に取付けられる橋梁灯がある（例えば、特許文献１参照）。
上掲特許文献１の橋梁灯は、橋梁または橋脚に横方向に突出するように設けてなるガイドレール本体に、そのレール部にガイドされて走行するように灯器取付台を装着し、該ガイドレール本体の先端における該レール部が前方下方に向けて彎曲または傾斜するように設け、前記灯器取付台には操作ロッドの一端を連結し、前記灯器取付台には、灯器を、前記灯器取付台が前記ガイドレール本体の先端レール部に沿って移動したとき前記灯器が下方を向くような位置に取付けたことを特徴とする。
【特許文献１】実開平０２−１５０７０４号公報
【発明の開示】
【発明が解決しようとする課題】
【０００４】  しかしながら、上掲特許文献１の橋梁灯は、橋梁下を航行する船等に対して安全水路を示すためのもので、夜間における橋梁全体を高輝度に照らし出すことはできなかった。また灯器は点灯状態に保持されているため、橋梁の外観的向上や見栄えを高めるまでには至らなかった。【０００５】  そこで本発明は上記の点に鑑み、橋梁の周囲を高輝度に、且つ優雅に照らし出すことにより、夜間における安全性向上と共に、太陽電池を用いることで電力コストを不要にすることができる光学光源体橋梁燈を提供することにある。
【課題を解決するための手段】
【０００６】  上記問題を解決するために本発明の光学光源体橋梁燈は、橋梁部分に装着される橋梁燈であって、該橋梁燈に、電源装置により発光する、発光面となる前面、前記前面に対向した後面、前記前面と前記後面とを接続する光伝送部、前記後面の一部から前記前面方向に沿って前記光伝送部の内部に先端部が位置するように形成された凹部とを有する光学媒体と、前記凹部に収納され、表方向に出る光が主に前記凹部の先端部に入射し、同時に裏方向にも発光するように構成された両面発光構造の半導体発光素子と、前記凹部の側壁部を介して入射した前記半導体発光素子の前記裏方向の発光を反射するように前記発光媒体の後面に配設された背面鏡とからなる発光体を装着したことを特徴とする。また前記発光体の光学媒体に色彩を施した。また前記電源装置を太陽電池装置とした。また前記電源装置を商用電源とした。また前記電源装置を電気二重層キャパシタとした。さらに前記電源装置に発光体を点滅させる点滅装置を備えた。
【発明の効果】
【０００７】  本発明の光学光源体橋梁燈は、電源装置により発光する光学媒体とからなる発光体と、該発光体を点滅させる点滅装置とで構成されているため、夜間において橋梁全体を高輝度に照らし出し、安全性を向上させると共に、点滅装置により橋梁を優雅に照らし出すことができ、また、光学媒体に色彩を施したことにより、橋梁全体を優雅に映し出すこともできる。さらに、前記電源装置を太陽電池装置とすることで、電力コストや電力設備を不要にすることが可能になる。
【発明を実施するための最良の形態】
【０００８】  以下、本発明における光学光源体橋梁燈の実施の形態を図面に基づき説明する。
図１および図２に示す光学光源体橋梁は、橋梁Ａ部分に装着される橋梁燈であって、前記光学光源体橋梁燈１は、電源装置２０と、電源装置２０により発光する光学媒体とからなる発光体１０とで構成されている。【０００９】  前記発光体１０は基盤２に設置されており、該基盤２は橋梁Ａを構成するＨ鋼Ｂの側面に設置されている。また電源装置２０はＨ鋼Ｂの上面に装着されている。また前記光学光源体橋梁燈１は、橋梁Ａの橋脚３、床部４、アーチ部５等に複数装着されている。【００１０】  発光体１０は、光源から前面に放射される光を集束してスポット状に照射することができる光学媒体１１とからなる。また両面発光構造の半導体発光素子を用いた場合において、裏面側への発光成分を含めて、すべての迷光成分が、有効に照明に寄与出来るようにすることを可能とし、特に、その数を多数必要とすることなく、所望の照度をえることが可能な発光体である。【００１１】  また発光体１０は、小型化・低価格化が期待できると共に、スポット照射のみならず拡散にも適用できる。また、長寿命、低消費電力、ノイズレス、紫外線を出さない、光のちらつき（フリッカー）がない、光強度調節が容易、低温光源、安定性が高い、変調が容易、スイッチング特性が優位、フルカラー対応、指向性が高い、光変換効率が格段に高い等数多くのメリットを有している。【００１２】  また前記発光体１０は、図３の（ａ）に示すように、発光面となる前面と、前面に対向した後面と、前面と後面とを接続する光伝送部と、後面の一部から前面方向に沿って光伝送部の内部に形成された凹部とを少なくとも有する光学媒体（バルクレンズ）１１と、凹部に収納された半導体発光素子１２と、光学媒体１１の後面に配置された背面鏡１３とからなる。また背面鏡１３は、光学媒体１１の側面の一部にまで延長されて形成されている。なお、この発光体は、特許第３３００７７８号公報に開示された公知の技術であり、本発明の光学光源体橋梁燈１は、上記発光体１０を使用したものである。【００１３】  また図３の（ｂ）は、前記発光体１０の対応する断面図であり、１４はＬＥＤホルダー、１５はチップ、１６は樹脂モールド、１７は第１のピン、１８は第２のピン、１９は屈折率をそれぞれ示す。【００１４】  また他の好適例として、前記発光体１０の光学媒体１１に色彩を施すことが望ましい。施す色彩は輝度の高いオレンジ、イエロー、レッド等が好ましく、その他にもブルーやグリーンを施すこともできる。さらに、光学媒体１１に施す色彩を統一、または配設される発光体１０の箇所によりその色彩を任意に変更してもよい。【００１５】  電源装置２０は、発光体１０へ電力を供給し、発光体１０を高輝度に発光させるものである。また特に、前記電源装置２０を太陽電池装置２１とすることが望ましい。前記太陽電池装置２１は、ソーラーパネル、充電器、光センサー等にて形成されている。また前記太陽電池装置２１におけるソーラーパネルは、例えば、図２に示すように、Ｈ鋼Ｂの上面に装着することができる。【００１６】  また他の好適例として、前記電源装置２０を商用電源２２とした。商用電源２２は一般家庭や工場等に供給される電源であり、プラグにコンセントを挿入することにより、発光体��０を発光させることができる。商用電源２２を電源装置とすることで、身近に、且つ手軽に発光体１０を発光させることが可能になる。【００１７】  また他の好適例として、前記電源装置２０を電気二重層キャパシタ２３とした。電気二重層キャパシタ２３は、極めて短時間で充電でき、しかも長時間の放電を可能とする。また内部抵抗が低く、充放電時における熱損出が小さいため、充放電を繰り返しても劣化が極めて少ないという特徴を有する。電源装置２０を電気二重層キャパシタ２３としたことにより、発光体１０を発光させる際、経済性や利便性で優れた効果が得られる。【００１８】  また他の好適例として、発光体１０と電源装置２０との間に点滅装置３０を具備した。点滅装置３０は、発光体１０への電力をＯＮ／ＯＦＦさせ、発光体１０の照射を適宜間隔で自動的に点滅を繰り返すものである。【００１９】  本発明の光学光源体橋梁燈を上述の構成とすることで、図４に示すように、橋梁Ａの橋脚３、床部４、アーチ部５等が高輝度に発光し、夜間における船舶走行の安全性を高めると共に、橋梁上を走行する車両や列車等の安全性を確保できる。【００２０】  また前記発光体を点滅させる点滅装置を備えることで、橋梁を優雅に照らし出すことができ、また、光学媒体に色彩を施したことにより、橋梁全体をさまざまな色彩に映し出すこともできる。
【図面の簡単な説明】
【００２１】
【図１】本発明の光学光源体橋梁燈の断面図である。
【図２】前記光学光源体橋梁燈の使用状態である。
【図３】（ａ）は発光体を示す模式的な鳥瞰図、（ｂ）は対応する断面図である。
【図４】光学光源体橋梁燈を装着した橋梁の全体図である。
【符号の説明】
【００２２】１    光学光源体橋梁燈
２    基盤
３    橋脚
４    床部
５    アーチ部
１０  発光体
１１  光学媒体
１２  半導体発光素子
１３  背面鏡
１４  ＬＥＤホルダー
１５  チップ
１６  樹脂モールド
１７  第１のピン
１８  第２のピン
１９  屈折率
２０  電源装置
２１  太陽電池装置
２２  商用電源
２３  電気二重層キャパシタ
３０  点滅装置
Ａ    橋梁
【図１】
2009054558.tif 000003
【図２】
2009054558.tif 000004
【図３】
2009054558.tif 000005
【図４】
2009054558.tif 000006